(57)【要約】【目的】通常時においてＶｏＩＰ通信またはＰＳＴＮ通信を可能とすると共に、停電時においても動作電力を浪費することなく電話機とＰＳＴＮ網との間で電話信号の中継を可能とする電話信号中継装置を提供する。【構成】  本発明による電話信号中継装置は、電話機とＩＰ網及びＰＳＴＮ網のうちの何れかとの間に中継経路を選択的に設定し、設定された中継経路を介して電話信号中継動作なす主回路と、動作電力を該主回路に供給することにより該電話信号中継動作をなさしめる電源部と、を含む電話信号中継装置であり、該動作電力の供給異常を検出した場合に、該ＰＳＴＮ網と該電話機との間に直通経路を設定する。【選択図】図１
2007318627.tif 000002
【特許請求の範囲】
【請求項１】
電話機とＩＰ網及びＰＳＴＮ網のうちの何れかとの間に中継経路を選択的に設定し、設定された中継経路を介して電話信号中継動作なす主回路と、動作電力を前記主回路に供給することにより前記電話信号中継動作をなさしめる電源部と、を含む電話信号中継装置であって、
前記動作電力の供給異常を検出する供給異常検出手段と、
前記供給異常を検出した場合に、前記ＰＳＴＮ網と前記電話機との間に直通経路を設定する直通経路設定手段と、
を含むことを特徴とする電話信号中継装置。
【請求項２】
前記電話機から到来する発信信号に含まれるダイヤル番号を判別し、判別されたダイヤル番号に応じて前記ＩＰ網及びＰＳＴＮ網のうちの何れかを選択する選択手段を含み、選択された網との間に前記中継経路を設定することを特徴とする請求項１記載の電話信号中継装置。
【請求項３】
前記直通経路設定手段は、前記ＰＳＴＮ網から供給される局給電電力を検出する手段を含み、前記局給電電力が検出された場合にのみ、前記直通経路を設定することを特徴とする請求項１記載の電話信号中継装置。
【請求項４】
前記直通経路設定手段は、前記電話機から到来する発信信号に含まれるダイヤル番号を判別する手段を含み、判別されたダイヤル番号が所定番号である場合にのみ、前記直通経路を設定することを特徴とする請求項１記載の電話信号中継装置。
【発明の詳細な説明】
【技術分野】
【０００１】
本発明は、電話端末とＶｏＩＰ（Voice over IP）電話網（以下、ＩＰ網と称する）及び公衆加入者電話網（以下、ＰＳＴＮ網と称する）との間に介在して、音声信号や発信信号を含む電話信号を中継する電話信号中継装置に関する。
【背景技術】
【０００２】
特許文献１は、インターネット（ＩＰ網）とＰＳＴＮ（アナログ）回線に接続されるＩＰ電話機能とＰＳＴＮ電話機能とを有する停電に対応可能とした停電対応ＩＰ電話機において、商用電源を電源とする電源回路と、商用電源の停電を検出する停電検出回路と、ＬＡＮとの間でＩＰパケットおよびＰＳＴＮ用のアナログデータを送受信するコネクタと、ＰＳＴＮ通信を行うＰＳＴＮ通信制御回路と、ＩＰ通信を行うＩＰ通信制御回路と、送受話器にＰＳＴＮ通信制御回路またはＩＰ通信制御回路を選択して接続する音声選択回路とを備え、商用電源が無いときに、ＩＰ通信からＰＳＴＮ通信に移行することを特徴とする停電対応ＩＰ電話機を開示している。
【特許文献１】特開２００５‐３１８２２０号公報
【発明の開示】
【発明が解決しようとする課題】
【０００３】
しかしながら、特許文献１に開示の技術は、停電時にＰＳＴＮ網５０からの局給電を検出すると、かかる給電電力を用いて電話機インタフェース部（ＳＬＩＣ部）、音声デジタル処理（ＤＳＰ部）及びＰＳＴＮ網インタフェース（ＣＯ部）を動作せしめるものである。かかる構成では、部品点数が多く局給電電力を浪費してしまうという問題がある。
【０００４】
本発明の目的は、通常時においてＶｏＩＰ通信またはＰＳＴＮ通信を可能とすると共に、停電時においても動作電力を浪費することなく電話機とＰＳＴＮ網との間で電話信号の中継を可能とする電話信号中継装置を提供することである。
【課題を解決するための手段】
【０００５】
本発明による電話信号中継装置は、電話機とＩＰ網及びＰＳＴＮ網のうちの何れかとの間に中継経路を選択的に設定し、設定された中継経路を介して電話信号中継動作なす主回路と、動作電力を該主回路に供給することにより該電話信号中継動作をなさしめる電源部と、を含む電話信号中継装置であり、該動作電力の供給異常を検出する供給異常検出手段と、該供給異常を検出した場合に、該ＰＳＴＮ網と該電話機との間に直通経路を設定する直通経路設定手段とを含むことを特徴とする。
【発明の効果】
【０００６】
本発明による電話信号中継装置によれば、通常時においてＶｏＩＰ通信またはＰＳＴＮ通信を可能とすると共に、停電時においても動作電力を浪費することなく電話機とＰＳＴＮ網との間で電話信号の中継をなすことが可能となる。
【発明を実施するための最良の形態】
【０００７】
本発明の実施例について添付の図面を参照しつつ詳細に説明する。
＜第１の実施例＞
図１は、本発明による第１の実施例を示し、電話信号中継装置を含む全体の構成を示している。電話信号中継装置２０は、通常の電話機１０と外部のＩＰ網及びＰＳＴＮ網５０との間に通常のモジュラー端子を用いて接続される装置である。電話信号中継装置２０は、音声信号や発信信号を含む電話信号の中継をなす主回路２１と、電源部２６と、直通回路３０と含む。主回路２１は、切替部Ｒ１と、ＳＬＩＣ部２２と、ＤＳＰ部２３と、切替部Ｒ２と、ＰＨＹ部２４と、ＣＯ部２５とを含む。
【０００８】
電源部２６は、電源コンセントに繋がれた商用電源の受電を受けて装置内各部に動作電力を供給する。切替部Ｒ１は、電話機１０が入出力する電話信号をＳＬＩＣ部２２または直通回路３０の何れかに選択的に切替接続する。すなわち、切替部Ｒ１は、電源部２６が正常に動作電力を各部に供給している場合に、電話機１０をＳＬＩＣ部３０に接続し、停電や電源コンセントが外れる等の事故により動作電力を各部に供給していない異常状態にあると検出した場合に、電話機１０を直通回路３０に接続する。
【０００９】
ＳＬＩＣ部２２は、ＢＯＲＳＣＨＴ機能を備える公衆加入者インタフェース回路であり、通常の２線インターフェースを介して電話機１０との間で電話信号を入出力し、該電話信号に含まれる音声信号をデジタル化された音声信号に変換する変換処理や逆変換処理を行って該音声信号をＤＳＰ部２３との間で入出力する。ＤＳＰ部２３は、音声信号に対して符号化圧縮処理や復号伸張処理を行い、該音声信号をＰＨＹ部２４またはＣＯ部２５との間で入出力する。切替部Ｒ２は、発信信号に含まれるダイヤル番号を判別して、判別されたダイヤル番号に応じて、ＤＳＰ部２３が入出力する音声信号をＰＨＹ部２４またはＣＯ部２５の何れかに選択的に切替接続する。
【００１０】
例えば、電話機１０から供給される発信信号のダイヤル番号の先頭が“０”ではない場合に、切替部Ｒ２は、ＤＳＰ部２３とＰＨＹ部２４とを接続し、ダイヤル番号の先頭が“０”である場合に、ＤＳＰ部２３とＣＯ部２５とを接続とする。これにより、利用者の意図に従ってＩＰ網４０を使用したＶｏＩＰ通信またはＰＳＴＮ網５０を使用したＰＳＴＮ通信の何れかの中継経路を選択することができる。“０”等の所定番号は予めから設定されている必要がある。
【００１１】
ＰＨＹ部２４は、ＩＰ網とのインタフェースをなす回路であり、ＭＡＣ制御機能やＩＰ制御機能を備える。ＣＯ部２５は、ＰＳＴＮ網５０とのインタフェースをなす回路であり、音声信号をＰＳＴＮ網５０に整合する音声信号に変換する機能やＰＳＴＮ網５０との間で電話信号を送受信する機能を備える。
【００１２】
直通回路３０は、切替部Ｒ２の接続切替により電話機１０とＰＳＴＮ網５０とを直接にその２線インタフェースにより接続して直通経路を設定する回路である。該直通経路により、ＰＳＴＮ網５０との間で、音声信号及び発信信号を含む電話信号が送受信され、さらに、ＰＳＴＮ網５０から局給電電力が電話機１０に供給される。
【００１３】
図２は、図１に示された構成における動作手順を示している。該動作手順について、図１に示された構成要素を適宜参照して説明する。
【００１４】
先ず、電話信号中継装置２０が商用電源に接続されて、動作ＯＮにされたとする（ステップＳ１）。動作ＯＮに引き続いて、電話信号中継装置２０は、該商用電源が正常か否かを判定する（ステップＳ２）。もし、正常ならば通常の動作に入り、電話機１０からの発信信号の待ち受け状態となる（ステップＳ３）。電話機１０からダイヤル番号を伴う発信信号が到来した時、電話信号中継装置２０は、該ダイヤル番号の先頭文字が“０”であるか否かを判定する（ステップＳ４）。もし、該ダイヤル番号の先頭文字が“０”である場合には、電話信号中継装置２０は切替部Ｒ２を動作せしめて、ＰＳＴＮ経路を設定し該経路を介してＰＳＴＮ通信を行う。一方、該ダイヤル番号の先頭文字が“０”ではない場合には、切替部Ｒ２を動作せしめて、ＶｏＩＰ経路を設定し該経路を介してＶＯＩＰ通信を行う。
【００１５】
ステップＳ２において、該商用電源が異常であると判定した場合には、電話信号中継装置２０は、切替部Ｒ１を動作せしめて、電話機１０とＰＳＴＮ網５０とを接続し直通経路を設定する（ステップＳ５）。これにより、電話機１０は、ＰＳＴＮ網５０との間の直通経路を介して、ＰＳＴＮ通信を行うことができる。この際に、電話機１０はＰＳＴＮ網５０から局給電を受けて、これを動作電力としてダイヤル発信等の動作を行うことができる。
【００１６】
以上の第１の実施例において、本発明による電話信号中継装置２０は、商用電源の停電時に電話機１０とＰＳＴＮ網５０との間に直通経路を設定する。この際に、電話信号中継装置２０は、ＰＳＴＮ網５０からの局給電電力をＳＬＩＣ部、ＤＳＰ部及びＣＯ部に供給することなく、直通回路３０を介して外部の電話機１０に直接に供給する。これにより、局給電電力を浪費することがない。
＜第２の実施例＞
図３は、本発明による第２の実施例を示し、電話信号中継装置を含む全体の構成を示している。電話信号中継装置２０は、第１の実施例の場合と同様に、通常の電話機１０と外部のＩＰ網及びＰＳＴＮ網５０との間に通常のモジュラー端子を用いて接続される装置である。電話信号中継装置２０は、音声信号や発信信号を含む電話信号の中継をなす主回路２１と、電源部２６と、直通回路３０と含む。主回路２１は、第１の実施例の場合と同様に、切替部Ｒ１と、ＳＬＩＣ部２２と、ＤＳＰ部２３と、切替部Ｒ２と、ＰＨＹ部２４と、ＣＯ部２５とを含む。直通回路３０は、第１の実施例の場合とは異なり、切替部Ｒ３と、ダイヤル検出部３１と、局給電検出部３２とを含む。
【００１７】
直通回路３０の局給電検出部３２はＰＳＴＮ網５０に接続され局給電の有無を検出する回路である。局給電を検出した場合に、これを動作電力としてダイヤル検出部３１に供給する。
【００１８】
直通回路３０の切替部Ｒ３は、切替器Ｒ１の一端とＰＳＴＮ網５０との間に接続されている。切替部Ｒ１が電話機１０が入出力する音声信号を直通回路３０とに切替接続している場合に、切替部Ｒ３は、発信信号検出部からの制御信号に応答して、電話機１０とＰＳＴＮ網５０とを直通接続して、電話機１０が入出力する発信信号や音声信号を含む電話信号をＰＳＴＮ網５０との間で送受信できるようにする。
【００１９】
直通回路３０のダイヤル検出部３１は、局給電検出部３２に接続され動作電力の供給を受けて動作する。ダイヤル検出部３１は、また、切替部Ｒ１を介して接続された電話機１０から供給される発信信号を検出し、該発信信号に含まれるダイヤル番号に応じて制御信号を発生し、これを切替部Ｒ３に供給する。例えば、電話機１０から供給されるダイヤル番号の先頭が“０”である場合に、ダイヤル検出部３１は制御信号を発生して切替部Ｒ３に供給する。切替部Ｒ３は、該制御信号に応じて電話機１０とＰＳＴＮ網５０との間に直通経路を設定する。
【００２０】
一方、電話機１０から供給されるダイヤル番号の先頭が“０”ではない場合に、ダイヤル検出部３１は何ら制御信号を発生しない。従って、切替部Ｒ３が電話機１０とＰＳＴＮ網５０との間に直通経路を設定しないことから、該発信信号は装置内で無視されてＰＳＴＮ網５０に送出されることはない。従って、ＰＳＴＮ網５０との接続は行われず、ＩＰ網４０との接続もない。この場合、ダイヤル発信中止を告知する何らかの警告メッセージが利用者に向けて発出されるようにしても良い。“０”等の所定番号は予めから設定されている必要がある。
【００２１】
図４は、図３に示された構成における動作手順を示している。該動作手順について、図３に示された構成要素を適宜参照して説明する。
【００２２】
先ず、電話信号中継装置２０が商用電源に接続されて、動作ＯＮにされたとする（ステップＳ１）。動作ＯＮに引き続いて、電話信号中継装置２０は、該商用電源が正常か否かを判定する（ステップＳ２）。もし、正常ならば通常の動作に入り、電話機１０からのダイヤル番号の待ち受け状態となる（ステップＳ３）。電話機１０からダイヤル番号を伴う発信信号が到来した時、電話信号中継装置２０は、該ダイヤル番号の先頭文字が“０”であるか否かを判定する（ステップＳ４）。もし、該ダイヤル番号の先頭文字が“０”である場合には、切替部Ｒ２を動作せしめて、ＰＳＴＮ経路を設定して、該経路を介してＶＯＩＰ通信を行う。一方、該ダイヤル番号の先頭文字が“０”ではない場合には、切替部Ｒ２を動作せしめて、ＶｏＩＰ経路を設定して、該経路を介してＰＳＴＮ通信を行う。
【００２３】
ステップＳ２において、該商用電源が異常であると判定した場合には、電話信号中継装置２０は、切替部Ｒ１を動作せしめて、電話機１０とＰＳＴＮ網５０とを接続し直通経路を設定する（ステップＳ５）。これにより、電話機１０は、ＰＳＴＮ網５０との間の直通経路を介して、ＰＳＴＮ通信を行うことができる。この際に、電話機１０はＰＳＴＮ網５０から局給電を受けて、これを動作電力としてダイヤル発信等の動作を行う。
【００２４】
次に、電話信号中継装置２０は、ＰＳＴＮ網５０との直通接続状態に入り、電話機１０からのダイヤル番号の待ち受け状態となる（ステップＳ６）。電話機１０からダイヤル番号を伴う発信信号が到来した時、電話信号中継装置２０は、ダイヤル検出部３１を用いて、該ダイヤル番号の先頭文字が“０”であるか否かを判定する（ステップＳ７）。もし、該ダイヤル番号の先頭文字が“０”である場合には、切替部Ｒ３を動作せしめて、直通経路を設定して、該経路を介してＰＳＴＮ通信を行う。一方、該ダイヤル番号の先頭文字が“０”ではない場合には、該ダイヤル番号を無視して破棄する。
【００２５】
以上の第２の実施例において、本発明による電話信号中継装置を用いることにより、商用電源が停電時等においても、利用者が意図しないにもかかわらずＰＳＴＮ網５０を介したＰＳＴＮ通信がなされてしまうことを回避することができる。利用者は、普通の相手先に対しては通話コストの廉価なＩＰ網４０を介して接続しようとするのが通常である。停電等の事態は利用者が認識し得るものの、装置の電源コードが単に電源コンセントから脱落したに過ぎないよう場合には利用者がこれを容易に認識し得ない。利用者がＶｏＩＰ通信の利用意図でＰＳＴＮ通信を利用してしまって不測の通話コストが課せられるようなことがない。
【産業上の利用可能性】
【００２６】
本発明による電話信号中継装置は、電話機とＩＰ網及びＰＳＴＮ網との間に介在するように接続される形態のみならず、電話機を内蔵するＶｏＩＰ装置として実現される形態にも適用され得る。
【図面の簡単な説明】
【００２７】
【図１】本発明による第１の実施例を示し、電話信号中継装置を含む全体の構成を示すブロック図である。
【図２】図１に示された構成における動作手順を示すフローチャートである。
【図３】本発明による第２の実施例を示し、電話信号中継装置を含む全体の構成を示すブロック図である。
【図４】図３に示された構成における動作手順を示すフローチャートである。
【符号の説明】
【００２８】
１０  電話機
２０  電話信号中継装置
２１  主回路
２２  ＳＬＩＣ部
２３  ＤＳＰ部
２４  ＰＨＹ部
２５  ＣＯ部
２６  電源部
３０  直通回路
３１  ダイヤル検出部
３２  局給電検出部
４０  ＩＰ網
５０  ＰＳＴＮ網
Ｒ１、Ｒ２、Ｒ３  切替部
【図１】
2007318627.tif 000003
【図２】
2007318627.tif 000004
【図３】
2007318627.tif 000005
【図４】
2007318627.tif 000006